(57)【要約】【課題】ＲＦＩＤタグと通信を行いＲＦＩＤタグ内のメモリの情報を読み書きするＲＦＩＤリーダライタ装置、ＲＦＩＤリーダライタ制御方法、及びＲＦＩＤリーダライタ制御プログラムを提供する。【解決手段】複数のアンテナと、アンテナにおける電波の送受信を制御する各アンテナの変復調部と、変復調部のＯＮ／ＯＦＦを制御する制御部とを有し、制御部は、電波を送受信するＲＦＩＤタグに応じて変復調部のＯＮ／ＯＦＦを制御することにより、複数の異なる規格を有するＲＦＩＤタグと電波を送受信することができる。また、制御部は、変復調部をＯＮするとき、各ＲＦＩＤタグについて設定されたＩＤを指定して変復調部をＯＮすることにより、通信するＲＦＩＤタグの規格に対応する変復調部をＯＮすることができる。【選択図】図１
2008059524.tif 000002
【特許請求の範囲】
【請求項１】
ＲＦＩＤタグのデータを読み書きするＲＦＩＤリーダライタ装置において、
ＲＦＩＤタグと電波の送受信を行う複数のアンテナと、
前記各アンテナで送受信する電波に重畳されたデータを変復調する複数の変復調手段と、
前記各変復調手段のＯＮ／ＯＦＦを制御する制御手段とを有し、
前記制御手段は、電波を送受信するＲＦＩＤタグに応じて前記各変復調手段のＯＮ／ＯＦＦを切り替えることを特徴とするＲＦＩＤリーダライタ装置。
【請求項２】
前記各アンテナは、アンテナ特性が異なることを特徴とする請求項１記載のＲＦＩＤリーダライタ装置。
【請求項３】
前記制御手段は、前記変復調手段をＯＮするとき、接続される前記アンテナのアンテナ特性に合った特性を前記各変復調手段に設定することを特徴とする請求項１又は２記載のＲＦＩＤリーダライタ装置。
【請求項４】
前記各変復調手段は、固有のＩＤを有し、
前記制御手段は、前記ＩＤを指定してＯＮする前記変復調手段を特定することを特徴とする請求項１から３のいずれか１項記載のＲＦＩＤリーダライタ装置。
【請求項５】
前記制御手段は、ＯＮする前記変復調手段へ前記ＩＤ及び前記特性を入力することを特徴とする請求項４記載のＲＦＩＤリーダライタ装置。
【請求項６】
前記制御手段と前記各変復調手段は、デジタル信号によりデータを授受することを特徴とする請求項１から５のいずれか１項記載のＲＦＩＤリーダライタ装置。
【請求項７】
前記制御手段と前記各変復調手段は、シリアルインターフェースにより接続されていることを特徴とする請求項６記載のＲＦＩＤリーダライタ装置。
【請求項８】
ＲＦＩＤタグと電波の送受信を行う複数のアンテナと、前記各アンテナで送受信する電波に重畳されたデータを変復調する複数の変復調手段と、前記各変復調手段のＯＮ／ＯＦＦを制御する制御手段とを有し、ＲＦＩＤタグのデータを読み書きするＲＦＩＤリーダライタ装置のＲＦＩＤリーダライタ制御方法において、
前記制御手段は、電波を送受信するＲＦＩＤタグに応じて前記各変復調手段のＯＮ／ＯＦＦを切り替える工程を有することを特徴とするＲＦＩＤリーダライタ制御方法。
【請求項９】
ＲＦＩＤタグと電波の送受信を行う複数のアンテナと、前記各アンテナで送受信する電波に重畳されたデータを変復調する複数の変復調手段と、前記各変復調手段のＯＮ／ＯＦＦを制御する制御手段とを有し、ＲＦＩＤタグのデータを読み書きするＲＦＩＤリーダライタ装置のＲＦＩＤリーダライタ制御プログラムにおいて、
前記制御手段は、電波を送受信するＲＦＩＤタグに応じて前記各変復調手段のＯＮ／ＯＦＦを切り替える処理を有することを特徴とするＲＦＩＤリーダライタ制御プログラム。
【発明の詳細な説明】
【技術分野】
【０００１】
本発明は、ＲＦＩＤリーダライタ装置、ＲＦＩＤリーダライタ制御方法、及びＲＦＩＤリーダライタ制御プログラムに関し、特に、ＲＦＩＤタグと通信を行いＲＦＩＤタグ内のメモリの情報を読み書きするＲＦＩＤリーダライタ装置、ＲＦＩＤリーダライタ制御方法、及びＲＦＩＤリーダライタ制御プログラムに関する。
【背景技術】
【０００２】
近年、ＲＦＩＤタグを利用した流通管理システムや情報管理システムが盛んに構築されつつある。ＲＦＩＤタグを用いた管理システムは、従来からあるバーコードによる管理システムに比べ情報量が大幅に増え、かつ情報の書き換えが可能な点に利点がある。また、タグの低コスト化が進むにつれ、さらに多くの用途に用いることが可能となる。
【０００３】
特許文献１では、ＲＦＩＤタグのデータのデータを読み書きするリーダライタ機能と、無線通信機能と、接続されるホスト機器との共通のホストインタフェース部を備え、ダイレクト・コンバージョン方式の送信部と受信部を２つの機能で共用した無線通信装置であって、送信部と受信部を同時にオンにし、送信部を変調又は無変調キャリアが送信できるように制御するリーダライタ機能モードと、送信部と受信部を排他的にオンするように制御する無線通信機能モードとを備える無線通信装置が提案されている。
【０００４】
特許文献２では、リーダライタにより情報の読み取り、書き込みが行われるＩＤタグであって、データを記憶するための第１メモリ領域と、リーダライタを認証するための認証確認手段と、を有し、認証確認手段がリーダライタに認証要求信号を送信し、認証要求信号の送信に応答してリーダライタにより受信した認証データが「真」である場合にのみ、リーダライタが第１メモリ領域へアクセスすることを許可するＩＤタグが提案されている。
【特許文献１】特開２００５−０６４８２２号公報
【特許文献２】特開２００５−３０１５７９号公報
【発明の開示】
【発明が解決しようとする課題】
【０００５】
しかし、上記の発明は以下の問題を有している。
【０００６】
従来のＲＦＩＤリーダライタ装置においては、異なる規格のＲＦＩＤタグと通信する際に、ＲＦＩＤタグの規格に応じた変復調部を有するＲＦＩＤリーダライタを用いて、データの読み書きを行わなければならなかった。そのため、異なる規格の複数のＲＦＩＤタグのデータを読み書きするためには、複数のＲＦＩＤリーダライタ装置を用意する必要があった。
【０００７】
そこで、本発明は、複数のアンテナと、アンテナにおける電波の送受信を制御する各アンテナの変復調部と、変復調部のＯＮ／ＯＦＦを制御する制御部とを有し、制御部は、電波を送受信するＲＦＩＤタグに応じて変復調部のＯＮ／ＯＦＦを制御することにより、複数の異なる規格を有するＲＦＩＤタグと電波を送受信することができるＲＦＩＤリーダライタ装置、ＲＦＩＤリーダライタ制御方法、及びＲＦＩＤリーダライタ制御プログラムを提案することを目的としている。
【課題を解決するための手段】
【０００８】
請求項１記載の発明は、ＲＦＩＤタグのデータを読み書きするＲＦＩＤリーダライタ装置において、ＲＦＩＤタグと電波の送受信を行う複数のアンテナと、前記各アンテナで送受信する電波に重畳されたデータを変復調する複数の変復調手段と、前記各変復調手段のＯＮ／ＯＦＦを制御する制御手段とを有し、前記制御手段は、電波を送受信するＲＦＩＤタグに応じて前記各変復調手段のＯＮ／ＯＦＦを切り替えることを特徴とする。
【０００９】
請求項２記載の発明は、請求項１記載のＲＦＩＤリーダライタにおいて、前記各アンテナは、アンテナ特性が異なることを特徴とする。
【００１０】
請求項３記載の発明は、請求項１又は２記載のＲＦＩＤリーダライタ装置において、前記制御手段は、前記変復調手段をＯＮするとき、接続される前記アンテナのアンテナ特性に合った特性を前記各変復調手段に設定することを特徴とする。
【００１１】
請求項４記載の発明は、請求項１から３のいずれか１項記載のＲＦＩＤリーダライタ装置において、前記各変復調手段は、固有のＩＤを有し、前記制御手段は、前記ＩＤを指定してＯＮする前記変復調手段を特定することを特徴とする。
【００１２】
請求項５記載の発明は、請求項４記載のＲＦＩＤリーダライタ装置において、前記制御手段は、ＯＮする前記変復調手段へ前記ＩＤ及び前記特性を入力することを特徴とする。
【００１３】
請求項６記載の発明は、請求項１から５のいずれか１項記載のＲＦＩＤリーダライタ装置において、前記制御手段と前記各変復調手段は、デジタル信号によりデータを授受することを特徴とする。
【００１４】
請求項７記載の発明は、請求項６記載のＲＦＩＤリーダライタ装置において、前記制御手段と前記各変復調手段は、シリアルインターフェースにより接続されていることを特徴とする。
【００１５】
請求項８記載の発明は、ＲＦＩＤタグと電波の送受信を行う複数のアンテナと、前記各アンテナで送受信する電波に重畳されたデータを変復調する複数の変復調手段と、前記各変復調手段のＯＮ／ＯＦＦを制御する制御手段とを有し、ＲＦＩＤタグのデータを読み書きするＲＦＩＤリーダライタ装置のＲＦＩＤリーダライタ制御方法において、前記制御手段は、電波を送受信するＲＦＩＤタグに応じて前記各変復調手段のＯＮ／ＯＦＦを切り替える工程を有することを特徴とする。
【００１６】
請求項９記載の発明は、ＲＦＩＤタグと電波の送受信を行う複数のアンテナと、前記各アンテナで送受信する電波に重畳されたデータを変復調する複数の変復調手段と、前記各変復調手段のＯＮ／ＯＦＦを制御する制御手段とを有し、ＲＦＩＤタグのデータを読み書きするＲＦＩＤリーダライタ装置のＲＦＩＤリーダライタ制御プログラムにおいて、前記制御手段は、電波を送受信するＲＦＩＤタグに応じて前記各変復調手段のＯＮ／ＯＦＦを切り替える処理を有することを特徴とする。
【発明の効果】
【００１７】
本発明は、複数のアンテナと、アンテナにおける電波の送受信を制御する各アンテナの変復調部と、変復調部のＯＮ／ＯＦＦを制御する制御部とを有し、制御部は、電波を送受信するＲＦＩＤタグに応じて変復調部のＯＮ／ＯＦＦを制御することにより、複数の異なる規格を有するＲＦＩＤタグと電波を送受信することができる。また、制御部は、変復調部をＯＮするとき、各ＲＦＩＤタグについて設定されたＩＤを指定して変復調部をＯＮすることにより、通信するＲＦＩＤタグの規格に対応する変復調部をＯＮすることができる。さらに、各ＲＦＩＤタグについて設定されたＩＤに特性情報を付加して変復調部を制御することにより、変復調部は特性情報に基づいて接続されたアンテナ特性に適する条件でアンテナにおける電波の送受信を制御することができる。
【発明を実施するための最良の形態】
【００１８】
以下、本発明の一実施形態に係るＲＦＩＤシステムの構成及び動作について説明する。
【００１９】
図１は、ＲＦＩＤシステムの構成例である。ＲＦＩＤシステムは、ＲＦＩＤタグ１，６、リーダライタ装置９、及びホスト５を有して構成される。リーダライタ装置９は、ＲＦＩＤタグ１，６へのデータ書込み、及び読み出しを行う装置であり、アンテナ２，７、変復調部３，８、及び制御部４を有して構成される。
【００２０】
例えば、ＲＦＩＤタグ１のデータが読み出される場合、ホスト５からデータと読み出しの要求が制御部４に送られる。制御部４は、ホスト５から受信した読み出しの要求を解析し、ＲＦＩＤタグ１の採用する規格に応じて読み出し要求の符号化を行う。ここで、符号化とは、マンチェスタ符号やミラー符号などである。
【００２１】
制御部４において符号化されたデータは、変復調部３で搬送波に重畳され、アンテナ２から電波としてＲＦＩＤタグ１へを送られる。ここで、搬送波はＲＦＩＤタグ１の採用する規格によって様々であるが、用途によって数百ＫＨｚ〜数ＧＨｚまでの周波数帯が用いられる。
【００２２】
ＲＦＩＤタグ１は、アンテナ２より発せられる電波を起電力とし、搬送波を解析することでホスト５からの要求内容を判断する。ここでの要求内容はＲＦＩＤタグに記録されたデータの読み出し要求である。したがって、ＲＦＩＤタグ１は、要求に応じた返答をさらに電波に乗せてアンテナ２へと返す。
【００２３】
変復調部３，８は、予めそれぞれチャネル番号（ＩＤ）を有し、制御部４より指定されたＩＤに対応する変復調部に接続されたアンテナのみがアクティブとなる。変復調部３，８にそれぞれ固有のＩＤを予め設定しておくことにより、他の変復調部と同時に動作することを防止する。
【００２４】
また、制御部４と変復調部３又は変復調部８との間の信号授受は、デジタル信号で行われる。制御部４及び変復調部３，８をデジタル信号対応のインターフェイスとすることで、制御部４と変復調部３，８との距離が離れていても、アナログ信号と比較して信号に減衰が少なく良好な通信を実現することができる。
【００２５】
次に、ＲＦＩＤタグのリーダライタ装置が複数の異なるアンテナ特性を有するアンテナを有する場合のＲＦＩＤシステムの構成について図２を用いて説明する。
【００２６】
本実施形態に係るＲＦＩＤシステムは、ＲＦＩＤタグ２１，２６、ホスト２５、及びリーダライタ装置２９を有して構成される。また、リーダライタ装置２９は、アンテナ特性の異なる２つのアンテナ２２，２７、各アンテナで受信した信号又は制御部２４から入力された要求を変復調する変復調部２３，２８、及びホスト２５からの要求を受け付ける制御部２４を有して構成される。
【００２７】
次に、図２に示すＲＦＩＤシステムの動作について説明する。
【００２８】
まず、ＲＦＩＤタグ２１に格納されたデータを読み出し／書き込み処理について説明する。
【００２９】
ホスト２５からデータの読み出し／書き込み要求が制御部２４に送られると、制御部２４は、読み出し／書き込み要求を解析し、ＲＦＩＤタグ２１の採用する規格に応じた該要求の符号化を行う。
【００３０】
符号化された要求は、変復調部２３で搬送波に重畳され、アンテナ２２から電波としてＲＦＩＤタグ２１へと信号を送る。ここで、搬送波はＲＦＩＤタグ２１の採用する規格によって様々であるが、用途によって数百ＫＨｚ〜数ＧＨｚまでの周波数帯が用いられる。
【００３１】
ＲＦＩＤタグ２１は、アンテナ２２より発せられる電波を起電力として搬送波を解析し、ホスト２５からの要求内容を判断する。ここで、ホスト２５からの要求内容とは、ＲＦＩＤタグ２１に格納されたデータの読み出し、又はＲＦＩＤタグ２１へのデータの書き込み要求である。要求内容がＲＦＩＤタグ２１に格納されたデータの読み出し要求だった場合、ＲＦＩＤタグ２１は、要求内容に応じたデータを読み出し、該データを電波に乗せてアンテナ２２へと返す。一方、要求内容がＲＦＩＤタグ２１へのデータの書き込み要求だった場合、ＲＦＩＤタグ２１は、要求内容に応じたデータを記憶する。
【００３２】
次に、ＲＦＩＤタグ２６に格納されたデータの読み出し／書き込み処理について説明する。
【００３３】
ホスト２５からデータの読み出し／書き込み要求が制御部２４に送られると、制御部２４は、読み出し／書き込み要求を解析し、ＲＦＩＤタグ２６の採用する規格に応じた該要求の符号化を行う。
【００３４】
符号化された要求は、変復調部２８において搬送波に重畳され、アンテナ２７から電波としてＲＦＩＤタグ２６へと送られる。ここで、搬送波はＲＦＩＤタグ２６の採用する規格によって様々であるが、用途によって数百ＫＨｚ〜数ＧＨｚまでの周波数帯が用いられる。
【００３５】
ＲＦＩＤタグ２６は、アンテナ２７より発せられる電波を起電力として搬送波を解析することにより、ホスト２５からの要求内容を判断する。ここで、要求内容とはＲＦＩＤタグ２６に格納されたデータの読み出し要求、又はＲＦＩＤタグ２６へのデータの書き込み要求である。ＲＦＩＤタグ２６は、要求内容に応じたデータを読み出し、該データを電波に乗せてアンテナ２７へと返す。または、ＲＦＩＤタグ２６は、要求内容に応じたデータを記憶する。
【００３６】
各変復調部２３，２８は、予めそれぞれ固有のＩＤを有する。そして、制御部２４により指定されたＩＤに対応する変復調部がＯＮされ、ＯＮされた変復調部は該ＩＤに付加された特性情報に基づいて接続されるアンテナを制御する。リーダライタ装置２９は、各変復調部２３，２８に固有のＩＤを付与し、ＲＦＩＤタグとの通信に使用するアンテナを制御する変復調部をＩＤを指定してＯＮすることにより、変復調部２３及び変復調部Ｂ２８が同時に動作することを防止する。
【００３７】
先に述べたように、個別のＩＤには変復調部ごとの特性情報が付加されており、例えば、特性情報には、各変復調部への出力電流が含まれる。よって、小型のアンテナ２２が接続された変復調部２３を指定するＩＤには、変復調部２８を指定するＩＤに付加される出力電流値よりも、低い出力電流値が特性情報として付加される。一方、大型のアンテナ２７が接続された変復調部２８を指定するＩＤには、変復調部２３を指定するＩＤに付加される出力電流値よりも、高い出力電流値が特性情報として付加される。
【００３８】
また、制御部２４と変復調部２３，２８間の信号の授受はデジタル信号で行う。制御部２４及び変復調部２３，２８をデジタル信号対応のインターフェイスとすることで制御部２４と変復調部２３，２８との距離が離れていても、アナログ信号と比べて信号に減衰が少なく良好な通信を行うことができる。
【００３９】
また、制御部２４と変復調部２３，２８との間の信号授受は、シリアル伝送で行う。制御部２４と変復調部２３，２８との間の信号授受をシリアル伝送とすることで、制御部２４と変復調部２３，２８との配線数を少なくでき、かつ制御部２４と変復調部２３，２８との間の距離を離す場合や変復調部が３つ以上になった場合に、パラレル信号より有利である。
【００４０】
なお、リーダライタ装置２９は、アンテナ２２の大きさがアンテナ２７よりも小さく、かつ変復調部２３の出力電流が変復調部２８の出力電流よりも小さい。したがって、ＲＦＩＤタグ２１、アンテナ２２、及び変復調部２３による通信は、ショートレンジへの対応に適し、ＲＦＩＤタグ２６、アンテナ２７、及び変復調部２８による通信は、ロングレンジへの対応に適している。
【００４１】
アンテナ特性は、大きさの他にも巻き数やインピーダンスなどを変えることにより変更することができる。なお、アンテナ特性を変えた場合、それに応じて変復調部とのマッチングを考慮し、変復調部に調整を加える必要がある。
【００４２】
変復調部に加える調整としては、出力電流の他に、対応搬送波周波数、振幅変調、周波数変調など、周波数変調方式の違いへの対応可否などがある。具体的には、アンテナの取り替え等により、各変復調部へのアンテナの取り外しが行われると、制御部２４はアンテナの取り外しを検出し、新たに各変復調部に接続されたアンテナにあった特性情報を変復調部を指定するＩＤに設定する。なお、制御部２４は、各変復調部を指定するＩＤと、各変復調部に接続されたアンテナに基づいて設定された特性情報とを関連付けて管理する。そして、変復調部をＯＮする際、当該変復調部を指定するＩＤを読み出すとともに、当該ＩＤと関連付けて管理される特性情報を読み出し、当該ＩＤに当該特性情報を付加して変復調部へ送信して、変復調部をＯＮする。
【００４３】
図３（ａ）及び（ｂ）は、本実施形態に係るリーダライタ装置２９を携帯端末等に適用した場合の実施例を示す図である。
【００４４】
本実施例に係る携帯端末本体３６は、小アンテナ３１、大アンテナ３７、アンテナ切り替えスイッチ３２、表示部３３、テンキー３４、及びＲＦＩＤ読み取り／書き込みキー３５を有して構成される。
【００４５】
小アンテナ３１は、近距離にあるＲＦＩＤタグと通信する際に用いられるアンテナである。大アンテナ３７は、遠距離にあるＲＦＩＤタグと通信する際に用いられるアンテナである。
【００４６】
表示部３３は、携帯端末３６の操作内容、ＲＦＩＤタグから読み取ったデータ、ＲＦＩＤタグへ記録するデータ等を表示する。
【００４７】
アンテナ切り替えスイッチ３２は、小アンテナ３１又は大アンテナ３７への切り替えを要求するスイッチである。例えば、図３（ａ）に示すように、大アンテナ３７が携帯端末３６内に収納されている場合、アンテナ切り替えスイッチ３２はＯＦＦされている。一方、図３（ｂ）に示すように、小アンテナ３１が携帯端末３６内に収納されている場合、アンテナ切り替えスイッチ３２はＯＮされている。つまり、ユーザはアンテナ切り替えスイッチ３２をＯＮすることによって図３（ｂ）の状態へと携帯端末３６を移行させ、アンテナ切り替えスイッチ３２をＯＦＦすることによって図３（ａ）の状態へと携帯端末３６を移行させることができる。
【００４８】
テンキー３４は、ユーザからの操作を受け付けるキーである。ＲＦＩＤ読み取り／書き込みキー３５は、ＲＦＩＤタグからのデータの読み取り動作又はＲＦＩＤタグへのデータの書き込み動作を要求するキーである。
【００４９】
図４は、携帯端末３６のシステム構成を示すブロック図である。携帯端末３６のシステム構成は、小アンテナ３１、大アンテナ３７、変復調部２３，２８、制御部２４、及びキー操作受付部３０を有して構成される。
【００５０】
変復調部２３は、制御部２４において符号化された要求の搬送波への重畳、小アンテナ３１が受信したＲＦＩＤタグからの返答の復調等を行う。変復調部２８は、制御部２４において符号化された要求の搬送波への重畳、大アンテナ３７が受信したＲＦＩＤタグからの返答の復調等を行う。
【００５１】
キー操作受付部３０は、携帯端末３６が有するテンキー３４及びＲＦＩＤ読み取り／書き込みキー３５の押下を検出し、検出結果を制御部２４に通知する。
【００５２】
制御部２４は、ホストからの要求の解析、要求を送信するＲＦＩＤタグが採用する規格に応じた符号化、テンキー３４の操作に基づく表示部３３への情報の表示、アンテナ切り替えスイッチ３２の操作による小アンテナ３１及び大アンテナ３７の伸縮、ＲＦＩＤ読み取り／書き込みキー３５の操作による読み取り要求の解析・符号化など、キー操作受付部３０が受け付けた操作の実行等を行う。
【００５３】
なお、ＲＦＩＤタグ２１，２６．小アンテナ３１、大アンテナ３７、変復調部２３，２８、及び制御部２４の具体的な動作は、図１及び２に示した構成の動作と同様であるため、ここでは説明を省略する。
【００５４】
図５は、図３及び４示す携帯端末３６におけるＲＦＩＤタグの読み取り動作の手順を示すフローチャートである。
【００５５】
キー操作受付部３０は、ＲＦＩＤ読み取り／書き込みキー３５の押下を待って待機する（ステップＳ４０１）。ＲＦＩＤ読み取り／書き込みキー３５の押下が検出されると（ステップＳ４０１／ＹＥＳ）、続いて、キー操作受付部３０はアンテナ切り替えスイッチ３２がＯＮされるか否かを検出する（ステップＳ４０２）。なお、ここでは初期状態として、アンテナ切り替えスイッチ３２がＯＦＦされて携帯端末３６が図３（ａ）に示す状態にあるものとする。キー操作受付部３０は、アンテナ切り替えスイッチ３２の押下を待って予め設定された時間待機する。
【００５６】
アンテナ切り替えスイッチ３２がＯＮされなかった場合は（ステップＳ４０２／ＮＯ）、キー操作受付部３０は小アンテナ３１によるＲＦＩＤタグ２１の読み取り／書き込みを制御部２４へ要求する。制御部２４は、小アンテナ３１が接続される変復調部２３を指定するＩＤ及び当該ＩＤと関連付けて管理される特性情報を読み出す。そして、制御部２４は、ＲＦＩＤタグ２１の読み取り／書き込み要求を解析し、ＲＦＩＤタグ２１の採用する規格に応じて符号化し、読み出したＩＤに付加される特性情報とともに変復調部２３へと送信して、変復調部２３をＯＮする（ステップＳ４０３）。
【００５７】
変復調部２３は、制御部２４から符号化された読み取り／書き込み要求と、ＩＤに付加された特性情報とを受け取ると、該特性情報に基づいて小アンテナ３１を制御してアクティブにする。そして、変復調部２３は、符号化した読み取り／書き込み要求を搬送波に重畳して、小アンテナ３１から電波としてＲＦＩＤタグ２１へ送信する。
【００５８】
ＲＦＩＤタグ２１は、小アンテナ３１より発せられる電波を起電力として搬送波を解析し、携帯端末３６からの要求内容を判断する。ここでの要求内容とは、ＲＦＩＤタグ２１に格納されたデータの読み出し要求、又はＲＦＩＤタグ２１へのデータの書き込み要求である。
【００５９】
データの読み出し要求であった場合、ＲＦＩＤタグ２１は、要求に応じたデータを読み出し、該データを電波に乗せて小アンテナ３１へと返信する。変復調部２３は、小アンテナ３１が受信した電波からＲＦＩＤタグ２１から読み出されたデータを取り出し（ステップＳ４０４）、該データを制御部２４へと入力する。
【００６０】
一方、ＲＦＩＤタグ２１へのデータの書き込み要求であった場合、ＲＦＩＤタグは、小アンテナ３１を介して変復調部２３から送られてくるデータを記憶する（ステップＳ４０４）。なお、変復調部２３からＲＦＩＤタグ２１へ送られるデータは、制御部２４により携帯端末３６が有する記憶部から読み出されたデータ、ホスト２５から受信したデータ、キー操作受付部３０を介してユーザが入力したデータ等である。
【００６１】
そして、ＲＦＩＤタグ２１に格納されたデータの読み出し、又はＲＦＩＤタグ２１へのデータの書き込みが完了すると、変復調部２３はＯＦＦされる（ステップＳ４０５）。
【００６２】
アンテナ切り替えスイッチ３２がＯＮされた場合は（ステップＳ４０２／ＹＥＳ）、キー操作受付部３０は大アンテナ３７によるＲＦＩＤタグ２６の読み取り／書き込みを制御部２４へ要求する。制御部２４は、大アンテナ３７が接続される変復調部２８を指定するＩＤ及び当該ＩＤと関連付けて管理される特性情報を読み出す。そして、制御部２４は、ＲＦＩＤタグ２６の読み取り／書き込み要求を解析し、ＲＦＩＤタグ２６の採用する規格に応じて符号化し、読み出したＩＤに付加される特性情報とともに変復調部２８へと送信して、変復調部２８をＯＮする（ステップＳ４０６）。
【００６３】
変復調部２８は、制御部２４から符号化された読み取り／書き込み要求と、ＩＤに付加された特性情報とを受け取ると、該特性情報に基づいて大アンテナ３７を制御してアクティブにする。そして、変復調部２８は、符号化した読み取り／書き込み要求を搬送波に重畳して、大アンテナ３７から電波としてＲＦＩＤタグ２６へ送信する。
【００６４】
ＲＦＩＤタグ２６は、大アンテナ３７より発せられる電波を起電力として搬送波を解析し、携帯端末３６からの要求内容を判断する。ここでの要求内容とは、ＲＦＩＤタグ２６に格納されたデータの読み出し要求、又はＲＦＩＤタグ２６へのデータの書き込み要求である。
【００６５】
データの読み出し要求であった場合、ＲＦＩＤタグ２６は、要求に応じたデータを読み出し、該データを電波に乗せて大アンテナ３７へと返信する。変復調部２８は、大アンテナ３７が受信した電波からＲＦＩＤタグ２６から読み出されたデータを取り出し（ステップＳ４０７）、該データを制御部２４へと入力する。
【００６６】
一方、ＲＦＩＤタグ２６へのデータの書き込み要求であった場合、ＲＦＩＤタグ２６は、大アンテナ３７を介して変復調部２８から送られてくるデータを記憶する（ステップＳ４０７）。なお、変復調部２８からＲＦＩＤタグ２６へ送られるデータは、制御部２４により携帯端末３６が有する記憶部から読み出されたデータ、ホストから受信したデータ、キー操作受付部３０を介してユーザが入力したデータ等である。
【００６７】
そして、ＲＦＩＤタグ２６に格納されたデータの読み出し、又はＲＦＩＤタグ２６へのデータの書き込みが完了すると、変復調部２８はＯＦＦされる（ステップＳ４０８）。
【図面の簡単な説明】
【００６８】
【図１】本実施形態に係るＲＦＩＤシステムの構成を示すブロック図である。
【図２】複数の異なるアンテナ特性を有するリーダライタ装置を有するＲＦＩＤシステムの構成を示すブロック図である。
【図３】（ａ）及び（ｂ）は、本実施形態に係るリーダライタ装置を有する携帯端末の概略図である。
【図４】本実施形態に係る携帯端末のシステム構成を示すブロック図である。
【図５】本実施形態に係る携帯端末の動作の手順を示すフローチャートである。
【符号の説明】
【００６９】
１，６    ＲＦＩＤタグ
２，７    アンテナ
３，８    変復調部
４    制御部
５    ホスト
９    リーダライタ装置
【図１】
2008059524.tif 000003
【図２】
2008059524.tif 000004
【図３】
2008059524.tif 000005
【図４】
2008059524.tif 000006
【図５】
2008059524.tif 000007